(57)【要約】【課題】電力消費を抑制し暗所において表示を視認することができる電子機器を提供する。【解決手段】計時部は計測開始を表す操作入力を受け付けてからの経過時間を計測し、表示部は前記計測部が計測した経過時間を表示し、照明部は前記表示部に光線を供給し、モード決定部は前記操作入力又は前記経過時間に基づいて予め定めた第１の動作モード、又は前記第１の動作モード以外の第２の動作モードで動作させるか否か決定し、表示制御部は、前記モード決定部が前記第２の動作モードで動作させると決定したとき、計測開始以外の操作入力を受け付けてから予め定めた第１の時間が経過した後、前記照明部への電力の供給を停止させ、前記モード決定部が前記第１の動作モードで動作させると決定したとき、計測開始を表す操作入力を受け付けてから前記第１の時間よりも長い第２の時間が経過した後、前記照明部へ供給する電力を低下させる。【選択図】図２
2013205206.tif 000002
【特許請求の範囲】
【請求項１】
計測開始を表す操作入力を受け付けてからの経過時間を計測する計時部と、
前記計時部が計測した経過時間を表示する表示部と、
供給された電力に応じた光を前記表示部に供給する照明部と、
前記操作入力又は前記経過時間に基づいて予め定めた第１の動作モード、又は前記第１の動作モード以外の第２の動作モードで動作させるか否か決定するモード決定部と、
前記モード決定部が前記第２の動作モードで動作させると決定したとき、計測開始以外の操作入力を受け付けてから予め定めた第１の時間が経過した後、前記照明部への電力の供給を停止させ、前記モード決定部が前記第１の動作モードで動作させると決定したとき、計測開始を表す操作入力を受け付けてから前記第１の時間よりも長い第２の時間が経過した後、前記照明部へ供給する電力を低下させる表示制御部と、
を備えることを特徴とする電子機器。
【請求項２】
前記モード決定部は、前記照明部の点灯を表す操作入力を受け付けてから予め定めた時間内に、計測開始を表す操作入力を受け付けたとき、前記第１の動作モードで動作させることを決定すること、を特徴とする請求項１に記載の電子機器。
【請求項３】
前記モード決定部は、前記計時部が経過時間を計測中に、前記照明部の点灯を表す操作入力を受け付けたとき、前記第１の動作モードで動作させることを決定すること、を特徴とする請求項１に記載の電子機器。
【請求項４】
前記モード決定部は、前記計時部が経過時間の計測を停止した後、計測した経過時間のリセットを表す操作入力を受け付けたとき、前記第１の動作モードでの動作を解除することを決定すること、を特徴とする請求項１に記載の電子機器。
【請求項５】
前記計時部は、日時と時刻を計測し、
前記モード決定部は、前記計時部が計測した時刻が、前記計時部が計測した日時に対応する時間帯に含まれるとき、前記第１の動作モードで動作させることを決定すること、を特徴とする請求項１に記載の電子機器。
【請求項６】
照度を検知する照度検知部を備え、
前記モード決定部は、前記照度検知部が検知した照度に基づいて、前記第１の動作モードで動作させるか否かを決定すること、を特徴とする請求項１に記載の電子機器。
【発明の詳細な説明】
【技術分野】
【０００１】
本発明は、電子機器に関する。
【背景技術】
【０００２】
運動時に経過時間を表示するストップウォッチ等の電子機器には、照明機能を備えているものがある。これにより、夜間等、照度が低い環境下でも、使用者は表示を視認できる。しかし、照度が低い暗所において、運動中の使用者に操作を強いることは、利便性を失わせ安全を確保できないおそれがある。他方、常に照明を点灯させると電力を必要以上に消費するため、電源の電力が早期に消耗してしまうことがある。そこで、特許文献１−３に記載の技術が提案されていた。
【０００３】
例えば、特許文献１には、各種情報を表示する表示装置と、この表示装置の表示面を照らす照明装置と、この照明装置をオン／オフさせるスイッチ装置とをケース内に収納した電子機器であって、スイッチ装置はケースの傾斜を検出し、その検出パルス信号を出力する姿勢検出手段と、予め設定された時間を計測する時間計測手段と、予め設定された時間中の検出パルス信号の数を計数する計数手段と、この計数手段による計数値が一定値以上の際にスイッチ信号を照明装置に出力して点灯させる制御手段とを具備したことを特徴とする電子機器が記載されている。
【０００４】
特許文献２には、ボタン操作に応じて照明を点灯する第１の論理シーケンスが繰り返されると瞬間的に照明を点灯する第２の論理シーケンスに移行する腕時計用の自動表示方法が記載されている。
特許文献３には、複数の時計モード、又は複数の照明装置点灯操作手段に対応して、照明装置の点灯を選択的に制御する照明機能付電子時計が記載されている。
【先行技術文献】
【特許文献】
【０００５】
【特許文献１】特開平８−２２７５５号公報
【特許文献２】米国特許第４９１２６８８号明細書
【特許文献３】特開昭５５−１２１１８５５号公報
【発明の概要】
【発明が解決しようとする課題】
【０００６】
しかしながら、特許文献１に記載の電子機器では、スイッチの設定や使用者によっては姿勢変化を検出できないことがある。そのような場合、照明装置が点灯して時刻表示が視認できるまで使用者は、必要以上に姿勢を変化させることがある。例えば、使用者が何度も腕を動かすことや、必要以上に強く腕を動かすことがある。暗所において運動を行っている状況では、使用者の安全を確保できないおそれがある。
特許文献２に記載の自動表示方法では、照明を点灯する第１の論理シーケンスが設定されると、動作態様や照度に関わらず照明が点灯するため、消費電力が十分に低減しない。
特許文献３記載の電子時計によれば、ある動作モード（例えば、経過時間の測定）で点灯操作が行われると、その動作態様の間は照明を連続して点灯させる。使用者が継続時間を確認するか否かによらず照明が点灯するため、消費電力が十分に低減しない。
以上のように、従来技術では電力の消費を抑制できないという問題があった。
【０００７】
本発明は上記の点に鑑みてなされたものであり、電力消費を抑制し暗所において表示を視認することができる電子機器を提供する。
【課題を解決するための手段】
【０００８】
（１）本発明は上記の課題を解決するためになされたものであり、本発明の一態様は、計測開始を表す操作入力を受け付けてからの経過時間を計測する計時部と、前記計時部が計測した経過時間を表示する表示部と、供給された電力に応じた光を前記表示部に供給する照明部と、前記操作入力又は前記経過時間に基づいて予め定めた第１の動作モード、又は前記第１の動作モード以外の第２の動作モードで動作させるか否か決定するモード決定部と、前記モード決定部が前記第２の動作モードで動作させると決定したとき、計測開始以外の操作入力を受け付けてから予め定めた第１の時間が経過した後、前記照明部への電力の供給を停止させ、前記モード決定部が前記第１の動作モードで動作させると決定したとき、計測開始を表す操作入力を受け付けてから前記第１の時間よりも長い第２の時間が経過した後、前記照明部へ供給する電力を低下させる表示制御部とを備えることを特徴とする電子機器である。
【０００９】
（２）本発明の他の態様は、上述の電子機器において、前記モード決定部は、前記照明部の点灯を表す操作入力を受け付けてから予め定めた時間内に、計測開始を表す操作入力を受け付けたとき、前記第１の動作モードで動作させることを決定することを特徴とする。
【００１０】
（３）本発明の他の態様は、上述の電子機器において、前記モード決定部は、前記計時部が経過時間を計測中に、前記照明部の点灯を表す操作入力を受け付けたとき、前記第１の動作モードで動作させることを決定することを特徴とする。
【００１１】
（４）本発明の他の態様は、上述の電子機器において、前記モード決定部は、前記計時部が経過時間の計測を停止した後、計測した経過時間のリセットを表す操作入力を受け付けたとき、前記第１の動作モードでの動作を解除することを決定することを特徴とする。
【００１２】
（５）本発明の他の態様は、上述の電子機器において、前記計時部は、日時と時刻を計測し、前記モード決定部は、前記計時部が計測した時刻が、前記計時部が計測した日時に対応する時間帯に含まれるとき、前記第１の動作モードで動作させることを決定することを特徴とする。
【００１３】
（６）本発明の他の態様は、上述の電子機器において、照度を検知する照度検知部を備え、前記モード決定部は、前記照度検知部が検地した照度に基づいて、前記第１の動作モードで動作させるか否かを決定することを特徴とする。
【発明の効果】
【００１４】
本発明によれば、電力消費を抑制し暗所において表示を視認することができる。
【図面の簡単な説明】
【００１５】
【図１】本発明の第１の実施形態に係る電子機器の構成を表す概略図である。
【図２】本実施形態に係る電子機器の要部の構成を表す概略図である。
【図３】本実施形態に係る表示ユニットの表面を表す表面図である。
【図４】本実施形態に係るモード遷移処理の一例を表すフローチャートである。
【図５】本実施形態に係るモード遷移処理の一変形例を表すフローチャートである。
【図６】本実施形態に係るモード遷移処理のその他の変形例を表すフローチャートである。
【図７】本実施形態に係る夜間走行モードにおける処理を表すフローチャートである。
【図８】本実施形態に係る経過時間計測モードにおける処理を表すフローチャートである。
【図９】本発明の第２の実施形態に係る電子機器の要部の構成を表す概略図である。
【図１０】本実施形態に係るモード遷移処理の一例を表すフローチャートである。
【図１１】本発明の第３の実施形態に係る電子機器の要部の構成を表す概略図である。
【図１２】本実施形態に係るモード遷移処理の一例を表すフローチャートである。
【発明を実施するための形態】
【００１６】
（第１の実施形態）
以下、図面を参照しながら本発明の第１の実施形態について説明する。
本実施形態に係る電子機器１は、例えば、利用者の操作によって指示された計測開始時からの経過時間を計測する機能を有する計時装置（クロノグラフ[ｃｈｒｏｎｏｇｒａｐｈ]、ストップウォッチ［ｓｔｏｐ  ｗａｔｃｈ］）である。電子機器１は、また、経過時間を計測するクロノグラフ機能付き腕時計に限られず、係る機能を備える携帯電話機、携帯情報端末装置であってもよい。
【００１７】
まず、本実施形態に係る電子機器１の構成について説明する。
図１は、本実施形態に係る電子機器１の構成を表す概略図である。
電子機器１は、ＣＰＵ（Ｃｅｎｔｒａｌ  Ｐｒｏｃｅｓｓｉｎｇ  Ｕｎｉｔ；中央処理装置）１１、入力部１２、発振部１３、表示部１５、照明部１６、データ記憶部１７、報音部１８及び電源部１９を含んで構成される。
【００１８】
ＣＰＵ１１は、電源部１９からの電源の供給が開始されると、予めＲＯＭ（Ｒｅａｄ  Ｏｎｌｙ  Ｍｅｍｏｒｙ、図示せず）に記憶されたプログラムを読み出し、読み出したプログラムを実行する。ＣＰＵ１１は、入力部１２から入力された操作入力信号を報音部１８に出力する。ＣＰＵ１１は、例えば経過時間の計測を行い、計測した経過時間を表す経過時間信号を生成する。ＣＰＵ１１は、生成した経過時間信号を表示部１５に出力する。ＣＰＵ１１は、入力部１２から操作入力信号としてラップ信号又は停止信号が入力されたとき、生成した経過時間情報をデータ記憶部１７に記憶する。ＣＰＵ１１のより詳細な処理については、後述する。
【００１９】
入力部１２は、使用者の操作入力を検出し、検出した操作入力信号をＣＰＵ１１に出力する。入力部１２は、例えば、操作ボタンを１個又は複数個含む。操作ボタンには、例えば、モード切替ボタン、開始（スタート）ボタン、ラップボタン、停止（ストップ）ボタン、リセットボタン、照明（ライト）ボタンが含まれる。
【００２０】
モード切替ボタンは、動作モード（動作態様の種類）を選択するためのボタンである。モード切替ボタンが押下されると、入力部１２は、モードを切り替えることを表すモード切替信号を操作入力信号としてＣＰＵ１１に出力する。開始ボタンは、経過時間の計測を開始することを指示するためのボタンである。開始ボタンが押下されると、入力部１２は、計測を開始することを表す開始信号を操作入力信号としてＣＰＵ１１に出力する。ラップボタンは、計測途中の経過時間（ラップタイム）を表示することを指示するためのボタンである。ラップボタンが押下されると、入力部１２は、計測途中の経過時間を表示することを表すラップ信号を操作入力信号としてＣＰＵ１１に出力する。停止ボタンは、経過時間の計測を停止することを指示するためのボタンである。停止ボタンが押下されると、入力部１２は、計測を停止することを表す停止信号を操作入力信号としてＣＰＵ１１に出力する。リセットボタンは、計測した経過時間を初期値（例えば、ゼロ）に再設定し再度経過時間を計測できる状態にすることを指示するためのボタンである。リセットボタンが押下されると、入力部１２は、リセットすることを表すリセット信号を操作入力信号としてＣＰＵ１１に出力する。照明ボタンは、照明部１６を点灯させることを指示するためのボタンである。照明ボタンが押下されると、入力部１２は、照明を点灯することを表す照明信号を操作入力信号としてＣＰＵ１１に出力する。
【００２１】
発振部１３は、クロック信号（クロック周波数は、例えば、３２７６８Ｈｚ）を生成し、生成したクロック信号を分周して、より低い周波数（例えば、１００Ｈｚ）をもつ計時基準信号を生成する。発振部１３は、生成した計時基準信号をＣＰＵ１１に出力する。
【００２２】
表示部１５は、ＣＰＵ１１から入力された経過時間信号が表す経過時間を表示する。表示部１５は、例えば、液晶ディスプレイ（ＬＣＤ、Ｌｉｑｕｉｄ  Ｃｒｙｓｔａｌ  Ｄｉｓｐｌａｙ）である。表示部１５のより詳細な構成については後述する。
照明部１６は、表示部１５に光線を供給する。照明部１６は、例えば、発光ダイオード（ＬＥＤ、Ｌｉｇｈｔ  Ｅｍｉｔｔｉｎｇ  Ｄｉｏｄｅ）を含んで構成される。照明部１６のより詳細な構成については後述する。
【００２３】
データ記憶部１７は、上述の経過時間信号以外にも、ＣＰＵ１１が処理によって生成したデータを一時的に記憶する。データ記憶部１７は、例えば、ＲＡＭ（Ｒａｎｄｏｍ  Ａｃｃｅｓｓ  Ｍｅｍｏｒｙ）を含んで構成される。
報音部１８は、ＣＰＵ１１から操作入力信号が入力されたとき、操作入力があったことを表す報知音（例えば、周波数２ｋＨｚ、継続時間２００ｍｓの可聴音）を生成する。また、報音部１８は、予めＣＰＵ１１に設定された時刻に報知音を生成する。
電源部１９は、電子機器１を構成する各構成部（上述のＣＰＵ１１等を含む）に動作に要する電力を供給する。電源部１９は、例えば、照射された光を電力に変換する太陽電池を含んで構成される。
【００２４】
次に、本実施形態に係る電子機器１の要部の構成について説明する。
図２は、本実施形態に係る電子機器１の要部の構成を表す概略図である。
電子機器１は、ＣＰＵ１１と表示ユニット１４を含んで構成される。
表示ユニット１４は、入力部１２が計測開始を表す操作入力を受け付けてからの経過時間を表示する表示部１５と表示部に光線を供給する照明部１６を含んで構成される。
ＣＰＵ１１は、操作入力又は経過時間に基づいて夜間走行モードで動作させるか否か決定し、夜間走行モード以外の動作モードで動作させると決定したとき、操作入力を受け付けてから予め定めた第１の時間が経過した後、照明部１６への電力の供給を停止させる。ＣＰＵ１１は、夜間走行モードで動作させると決定したとき、操作入力を受け付けてから第１の時間よりも長い第２の時間が経過した後、照明部１６へ供給する電力を低下させる。
【００２５】
まず、表示ユニット１４の構成について説明する。
表示部１５は、電子機器１の裏側に備えられた照明部１６が放射する光線を通過させる。表示部１５は、ＣＰＵ１１から入力された表示駆動信号が表す表示領域に電圧が印加される。この電圧が印加される表示領域が、その周囲の領域よりも光の透過率が低下する。そのため、利用者は、光の透過率が低下した表示領域に現れた文字から計測された経過時間等を表す文字や図形を、電子機器１の表側から視認することができる。また、表示領域に印加される電圧値が高いほど光の透過率が低下するため、コントラストが高くなる。表示部１５の構成例については後述する。
【００２６】
照明部１６は、発光部１６１、抵抗部１６２−１、１６２−２を含んで構成される。
発光部１６１は、表示部１５の裏面に備えられ、電源部１９から供給された電力を用いて光線を放射する。発光部１６１は、電源部１９から入力された電流を抵抗部１６２−１、１６２−２に出力する。電源部１９から入力された電流の電流値が大きいほど、発光部１６１が放射する光線の輝度が大きくなる。
抵抗部１６２−１、１６２−２は、発光部１６１から入力された電流を、それぞれＣＰＵ１１に出力する。抵抗部１６２−１の抵抗値Ｒ１は、抵抗部１６２−２の抵抗値Ｒ２よりも大きくともよいし、小さくともよい。また、抵抗値Ｒ１とＲ２は等しくともよい。但し、以下の説明では、特に断らない限り抵抗値Ｒ１がＲ２よりも小さい場合を例にとって説明する。
【００２７】
照明部１６は、かかる構成により、３段階の抵抗値のうちいずれかをとりうる。例えば、抵抗部１６２−１、１６２−２の出力端がともに接地されている場合における、照明部１６の抵抗値ＲHは、式（１）で表される。
【００２８】
【数１】
2013205206.tif 000003
【００２９】
式（１）において、Ｒ０は、発光部１６１の抵抗値を表す。式（１）右辺の第２項は、抵抗部１６２−１、１６２−２が並列接続された場合の合成抵抗値を表す。
抵抗部１６２−１の出力端が接地され、抵抗部１６２−２の出力端が開放されている場合、照明部１６の抵抗値ＲMは、Ｒ０＋Ｒ１となる。抵抗部１６２−１の出力端が開放され、抵抗部１６２−２の出力端が接地されている場合、照明部１６の抵抗値ＲLは、Ｒ０＋Ｒ２となる。これより、抵抗値ＲHが、ＲH、ＲM、ＲLのうち最小であり、ＲH、ＲM、ＲLの順で大きくなる。発光部１６１に電源部１９から供給される電源電圧が一定であるため、照明部１６の抵抗値をＲH、ＲM、ＲLのいずれかに切り替えることで、発光部１６１の電流値を、それぞれＩH、ＩM、ＩLのいずれかに変更することができる。このとき、電流値ＩHは、ＩH、ＩM、ＩLのうち最大であり、ＩH、ＩM、ＩLの順で小さくなる。従って、照明部１６の抵抗値をＲH、ＲM、ＲLのいずれかに切り替えることで、放射する光線の輝度（以下、単に輝度と呼ぶ）を高（Ｈ）、中（Ｍ）、低（Ｌ）のいずれかに変更することができる。
【００３０】
次に、ＣＰＵ１１の構成について説明する。ＣＰＵ１１は、モード決定部１１１、計時部１１２、表示制御部１１３を含んで構成される。表示制御部１１３は、表示駆動部１１５及び輝度制御部１１６を含んで構成される。簡単のため、ＣＰＵ１１が、輝度をＨかＭのいずれかに変更する場合を例にとって説明する。
【００３１】
モード決定部１１１は、入力部１２から入力されたモード切替信号に基づいて1つの動作モードを選択する。動作モードには、例えば、経過時間を計測する経過時間計測モード（クロノグラフ計測モード）、現在の時刻を表示する時刻表示モード、報音部１８が報知音を生成する時刻を設定するアラーム設定モードが含まれる。モード決定部１１１は、入力部１２からモード切替信号が入力される毎に、上述の動作モードのうちの１つの動作モードから他の１つの動作モードに順次変更する。モード決定部１１１は、選択した動作モードを表す動作モード信号を計時部１１２、表示駆動部１１５、輝度制御部１１６に出力する。
【００３２】
動作モードには、夜間走行モード（ナイトランモード）が含まれる。夜間走行モードは、経過時間計測モードにおいて、操作入力を受け付けてから上述の第１の時間よりも長い第２の時間が経過したとき、照明部１６へ供給する電力を低下させる動作形態である。夜間走行モードにおける各部の処理については後述する。
モード決定部１１１は、経過時間計測モードが選択されているとき、入力部１２から入力された操作入力信号又は前記経過時間に基づいて夜間走行モードを選択するか否かを判断する。
モード決定部１１１は、夜間走行モードに移行したとき夜間走行モードを表す動作モード信号を計時部１１２、表示駆動部１１５、輝度制御部１１６に出力する。また、モード決定部１１１は、夜間走行モードを解除し、経過時間計測モードに移行したとき経過時間計測モードを表す動作モード信号を計時部１１２、表示駆動部１１５、輝度制御部１１６に出力する。
【００３３】
ここで、経過時間計測モードから夜間走行モードに移行する構成について説明する。本実施形態では、例えば、以下に説明する構成[１]〜[３]のいずれか、又はそれらの任意の組み合わせを備えればよい。
[１]モード決定部１１１は、入力部１２から照明信号が入力されてから予め定めた時間（例えば２秒間）内に入力部１２から開始信号が入力された場合、動作モードを経過時間計測モードから夜間走行モードに切り替える。後述するように、この予め定めた時間内において、照明部１６が点灯する。
【００３４】
[２]モード決定部１１１は、計時部１１２が経過時間を計測している間に入力部１２から照明信号が入力されてから予め定めた時間（例えば、１０秒）が経過した後に、動作モードを経過時間計測モードから夜間走行モードに切り替える。後述するように、入力部１２から照明信号が入力された後、照明部１６が点灯する。
【００３５】
[３]モード決定部１１１は、入力部１２から開始信号が継続して予め定めた時間（例えば、２秒）以上入力された場合、動作モードを経過時間計測モードから夜間走行モードに切り替える。入力部１２から開始信号が継続して予め定めた時間以上入力される状況は、使用者が開始ボタンを押下した状態を継続（いわゆる、長押し）することで生じる。
【００３６】
モード決定部１１１は、夜間走行モードを解除し経過時間計測モードに移行する構成を備える。即ち、モード決定部１１１は、入力部１２からリセット信号が入力された後、夜間走行モードを解除して経過時間計測モードに移行する。
【００３７】
計時部１１２は、モード決定部１１１から入力された動作モード信号が経過時間計測モード又は夜間走行モードを表す場合には、以下の処理を行う。
計時部１１２は、入力部１２から操作入力信号として開始信号が入力されたとき、発振部１３から入力された計時基準信号に基づいて経過時間の計測を開始する。計時部１１２は、経過時間を計測するために、例えば、計時基準信号の信号値のピーク値の数を計数する。計時部１１２は、計測した経過時間を表す経過時間信号を逐次に生成し、生成した経過時間信号を表示駆動部１１５に出力する。
【００３８】
計時部１１２は、入力部１２から操作入力信号としてラップ信号が入力されたとき、生成した経過時間信号をデータ記憶部１７に記憶させる。計時部１１２は、このとき、表示駆動部１１５に出力する経過時間信号を予め定めた第１の時間（例えば、３秒間）一定値に維持（ホールド）する。但し、計時部１１２は、経過時間の計測を継続する。
【００３９】
計時部１１２は、入力部１２から操作入力信号として停止信号が入力されたとき、経過時間の計測を停止し、計測を停止したときの経過時間信号をデータ記憶部１７に記憶させる。計時部１１２は、表示駆動部１１５に出力する経過時間信号を一定値に維持する。
計時部１１２は、入力部１２から操作入力信号としてリセット信号が入力されたとき、データ記憶部１７に記憶した経過時間信号を消去し、初期値を表す経過時間信号を生成する。計時部１１２は、この経過時間信号を表示駆動部１１５に出力する。
【００４０】
なお、計時部１１２は、発振部１３から入力された計時基準信号に基づいて現在の時刻を表す時刻情報を逐次に生成する。生成した時刻情報を表示駆動部１１５及び輝度制御部１１６に出力する。
【００４１】
表示駆動部１１５は、モード決定部１１１から入力された動作モード信号が夜間走行モードを表す場合には、以下の処理を行う。
表示駆動部１１５は、計時部１１２から入力された経過時間信号が表す経過時間に基づいて、その経過時間の数値を表示する表示領域に電圧を印加するための表示駆動信号を生成する。表示駆動部１１５は、生成した表示駆動信号を表示部１５に出力する。
【００４２】
ここで、表示駆動部１１５は、入力部１２から操作入力信号として開始信号が入力されてから予め定めた第２の時間（例えば、１０分間）が経過するまでは、表示部１５のコントラストを予め定めた値（以下、通常コントラスト値と呼ぶ）に定める。即ち、この間、表示駆動部１１５は、表示駆動信号の印加電圧を予め定めた通常の値（例えば、３．０Ｖ、以下、通常電圧値と呼ぶ）とする。
第２の時間が経過した後、表示駆動部１１５は、表示部１５のコントラストを前述の通常の値よりも高い値（以下、高コントラスト値と呼ぶ）に定める。即ち、第２の時間が経過した後、表示駆動部１１５は、表示駆動信号の印加電圧を通常電圧値よりも高い値（例えば、３．３Ｖ、以下、高電圧値と呼ぶ）に定める。
なお、表示部１５のコントラストの制御にかかる消費電力は、照明部１６を点灯させるための消費電力に比べて無視できるほど小さい。例えば、表示部１５に電圧を印加する際の電流は、１μＡ程度であるのに対し、照明部１６を点灯させる際の電流は、１ｍＡ程度である。
【００４３】
ここで、表示駆動部１１５は、入力部１２から、その他の種類の操作入力信号、例えば、ラップ信号、停止信号、リセット信号のいずれかが入力されてから予め定めた第１の時間（例えば、３秒間）が経過するまでは、表示部１５のコントラストを通常コントラスト値に定める。
第１の時間が経過した後、表示駆動部１１５は、表示部１５のコントラストを高コントラスト値に定める。
【００４４】
表示駆動部１１５は、モード決定部１１１から入力された動作モード信号が経過時間計測モード、時刻表示モード、又はその他の動作モードを表す場合には、計時部１１２から入力された時刻信号が表す時刻の数値を表示する表示領域に電圧を印加するための表示駆動信号を生成する。表示駆動部１１５は、生成した表示駆動信号を表示部１５に出力する。表示駆動部１１５は、表示駆動信号の印加電圧を通常電圧値に定める。即ち、表示駆動部１１５は、表示部１５のコントラストを通常コントラスト値に定める。
なお、表示駆動部１１５は、上述した時間の経過を、計時部１１２から入力された時刻信号、又は発振部１３から入力された計時基準信号に基づいて判断する。
【００４５】
輝度制御部１１６は、端子（ポート）１１６１−１、１１６１−２、１１６１−３、可動切片１１６２を含んで構成される。端子１１６１−１は、抵抗部１６２−１から入力された電流を受け付ける。端子１１６１−２は、抵抗部１６２−２から入力された電流を受け付ける。端子１１６１−３は、接地（ＧＮＤ）されており、可動切片１１６２から受け付けた電流を吸収する。
【００４６】
輝度制御部１１６は、入力部１２から入力された操作入力信号に基づいて可動切片１１６２により端子１１６１−３と短絡させる端子を、端子１１６１−１、１１６１−２のいずれか、又は両方かを選択する。これにより、発光部１６１を流れる電流、即ち光線を放射させる電力を変更することで、発光部１６１の輝度を上述のＬ、Ｍ、Ｈのいずれかに制御することができる。例えば、輝度Ｌ、Ｍ、Ｈのとき、電流は、それぞれ０．５、１．０、１．５ｍＡである。
【００４７】
輝度制御部１１６が、モード決定部１１１から入力された動作モード信号が夜間走行モードを表す場合には、以下の処理を行う。
輝度制御部１１６は、入力部１２から操作入力信号として開始信号が入力されてから上述の第２の時間が経過するまでは、可動切片１１６２により端子１１６１−３を端子１１６１−１及び１１６１−２に短絡させる。即ち、輝度制御部１１６は、発光部１６１の輝度をＨとする。以下、開始信号入力直後における輝度を通常輝度値と呼ぶ。
第２の時間が経過した後、輝度制御部１１６は、可動切片１１６２により端子１１６１−３を、端子１１６１−１のみに短絡させる。即ち、輝度制御部１１６は、発光部１６１の輝度をＬに低下させる。
【００４８】
輝度制御部１１６は、入力部１２から、その他の種類の操作入力信号、例えば、ラップ信号、停止信号、リセット信号のいずれかが入力されてから上述の第１の時間が経過するまでは、可動切片１１６２により端子１１６１−３を端子１１６１−１及び１１６１−２に短絡させる。即ち、輝度制御部１１６は、発光部１６１の輝度を通常輝度値Ｈに戻す。
第１の時間が経過した後、輝度制御部１１６は、可動切片１１６２により端子１１６１−３を、端子１１６１−１のみに短絡させる。即ち、輝度制御部１１６は、発光部１６１の輝度をＬに低下させる。
【００４９】
なお、本実施形態では、上述の例には限られず、ＣＰＵ１１は、例えば、照明部１６が放射する光線の輝度を、Ｈを通常輝度値として第１の時間又は第２の時間経過後Ｍに制御してもよいし、又はＭを通常輝度値として第１の時間又は第２の時間経過後ＭかＬに制御してもよい。
【００５０】
輝度制御部１１６は、モード決定部１１１から入力された動作モード信号が経過時間計測モード、時刻表示モード、又はその他の動作モードを表す場合には、可動切片１１６２により端子１１６１−３を端子１１６１−１及び１１６１−２に短絡させる。即ち、輝度制御部１１６は、発光部１６１の輝度をＨとする。
【００５１】
なお、輝度制御部１１６は、操作入力信号が、経過時間計測モード、時刻表示モード、又はその他の動作モードを表す場合、入力されてから予め定めた第１の時間（例えば、３秒間）が経過した後、可動切片１１６２により端子１１６１−３と、端子１１６１−１及び１１６１−２を開放してもよい。即ち、輝度制御部１１６は、発光部１６１による光線の放射を停止してもよい（自動消灯、オートパワーオフとも呼ばれる）。また、輝度制御部１１６は、その後、入力部１２から操作入力信号が入力された場合、可動切片１１６２により端子１１６１−３を端子１１６１−１及び１１６１−２に短絡させてもよい。即ち輝度制御部１１６は、発光部１６１の輝度をＨに戻してもよい。
その他、輝度制御部１１６は、入力部１２から照明信号が入力された場合、予め定めた時間（例えば２秒間）、可動切片１１６２により端子１１６１−３を端子１１６１−１及び１１６１−２に短絡させてもよい。即ち、輝度制御部１１６は、発光部１６１の輝度をＨとする。
なお、輝度制御部１１６は、上述した時間の経過を、計時部１１２から入力された時刻信号、又は発振部１３から入力された計時基準信号に基づいて判断する。
【００５２】
次に表示ユニット１４の外観の一例について説明する。
図３は、本実施形態に係る表示ユニット１４の表面を表す表面図である。
表示ユニット１４は、透明の表示窓１５５で表面が覆われた液晶パネルを含んで構成される。上述のように、表示ユニット１４は、液晶パネル上の表示領域１５８に表示駆動信号による電圧が印加され、その領域に文字や図形、例えば「１９：４６」が表わされる。文字「４６」の真上にある月と星を表す図形は、夜間走行モード表示１５９の一例である。即ち、表示駆動部１１５は、モード決定部１１１から夜間走行モードを表す動作モード信号が入力された場合、表示領域１５８の一部として夜間走行モード表示１５９を表す表示駆動信号を生成する。表示駆動部１１５は、モード決定部１１１からその他の動作モード信号が入力された場合、夜間走行モード表示１５９が表示領域１５８に含まれない表示駆動信号を生成する。これにより、使用者は、電子機器１が夜間走行モードで動作しているか否かを容易に視認することができる。
なお、夜間走行モード表示１５９として、上述の月や星を表す図形に限らず任意の図形を用いてもよい。
【００５３】
次に、本実施形態に係る表示制御処理について説明する。
以下では夜間走行モードと経過時間モードの相互間におけるモード遷移処理について説明する。ここで、処理開始時における動作モードは、経過時間モードである。
図４は、本実施形態に係るモード遷移処理の一例を表すフローチャートである。
（ステップＳ１０１）モード決定部１１１は、入力部１２から照明信号が入力されたか（ライトボタン押下）否か判断する。照明信号が入力された場合（ステップＳ１０１  Ｙ）、ステップＳ１０２に進む。照明信号が入力されなかった場合（ステップＳ１０１  Ｎ）、ステップＳ１０７に進む。
【００５４】
（ステップＳ１０２）輝度制御部１１６は、照明部１６が備える発光部１６１を通常輝度値Ｈで点灯させる。表示駆動部１１５は、表示部１５のコントラストを通常コントラスト値に定める。その後、ステップＳ１０３に進む。
（ステップＳ１０３）モード決定部１１１は、入力部１２から開始信号が入力されたか（スタートボタン押下）否か判断する。開始信号が入力された場合（ステップＳ１０３  Ｙ）、ステップＳ１０６に進む。開始信号が入力されなかった場合（ステップＳ１０３  Ｎ）、ステップＳ１０４に進む。
【００５５】
（ステップＳ１０４）モード決定部１１１は、入力部１２から照明信号が入力された時点から予め定められた時間（例えば、２秒）が経過したか否か判断する。経過したと判断された場合（ステップＳ１０４  Ｙ）、ステップＳ１０５に進む。経過したと判断されなかった場合（ステップＳ１０４  Ｎ）、ステップＳ１０３に進む。
（ステップＳ１０５）輝度制御部１１６は、照明部１６を消灯させる。その後、ステップＳ１０１に進む。
【００５６】
（ステップＳ１０６）計時部１１２は、発振部１３から入力された計時基準信号に基づいて経過時間の計測を開始する。計時部１１２は、計測した経過時間を表す経過時間信号を逐次に生成し、生成した経過時間信号を表示駆動部１１５に出力する。その後、ステップＳ１２１に進む。
【００５７】
（ステップＳ１０７）モード決定部１１１は、入力部１２から開始信号が入力されたか否か判断する。開始信号が入力された場合（ステップＳ１０７  Ｙ）、ステップＳ１０８に進む。開始信号が入力されなかった場合（ステップＳ１０７  Ｎ）、ステップＳ１０１に進む。
（ステップＳ１０８）計時部１１２は、発振部１３から入力された計時基準信号に基づいて経過時間の計測を開始する。計時部１１２は、計測した経過時間を表す経過時間信号を逐次に生成し、生成した経過時間信号を表示駆動部１１５に出力する。その後、ステップＳ１２２に進む。
【００５８】
（ステップＳ１２１）モード決定部１１１は、動作モードを経過時間計測モードから夜間走行モードに切り替える。モード決定部１１１は、夜間走行モードを表す動作モード信号を計時部１１２、表示駆動部１１５、輝度制御部１１６に出力する。その後、ステップＳ１２３に進む。
【００５９】
（ステップＳ１２２）電子機器１は、経過時間計測モードにおける処理を実行する。経過時間計測モードにおける処理については後述する。経過時間計測モードにおける処理を実行した後、モード遷移処理を終了する。
（ステップＳ１２３）電子機器１は、夜間走行モードにおける処理を実行する。夜間走行モードにおける処理については後述する。夜間走行モードにおける処理を実行した後、ステップＳ１２４に進む。
【００６０】
（ステップＳ１２４）モード決定部１１１は、入力部１２からリセット信号が入力されたか（リセットボタン押下）否か判断する。リセット信号が入力されたと判断された場合（ステップＳ１２４  Ｙ）、ステップＳ１２５に進む。リセット信号が入力されなかったと判断された場合（ステップＳ１２４  Ｎ）、ステップＳ１２７に進む。
（ステップＳ１２５）モード決定部１１１は、夜間走行モードを解除して経過時間計測モードに移行する。モード決定部１１１は、経過時間計測モードを表す動作モード信号を計時部１１２、表示駆動部１１５、輝度制御部１１６に出力する。その後、ステップＳ１２６に進む。
【００６１】
（ステップＳ１２６）計時部１１２は、計測した経過時間を初期値に再設定（リセット）し、再度経過時間を計測できる状態にする。即ち、計時部１１２は、データ記憶部１７に記憶した経過時間信号を消去し、初期値を表す経過時間信号を生成する。計時部１１２は、この経過時間信号を表示駆動部１１５に出力する。その後、モード遷移処理を終了する。
【００６２】
（ステップＳ１２７）モード決定部１１１は、入力部１２から開始信号が入力されたか（スタートボタン押下）否か判断する。開始信号が入力されたと判断された場合（ステップＳ１２７  Ｙ）、ステップＳ１２８に進む。開始信号が入力されなかったと判断された場合（ステップＳ１２７  Ｎ）、ステップＳ１２４に進む。
（ステップＳ１２８）計時部１１２は、発振部１３から入力された計時基準信号に基づいて経過時間の計測を開始する。計時部１１２は、計測した経過時間を表す経過時間信号を逐次に生成し、生成した経過時間信号を表示駆動部１１５に出力する。その後、ステップＳ１２１に進む。
【００６３】
次に本実施形態に係るモード遷移処理の一変形例について説明する。
図５は、本実施形態に係るモード遷移処理の一変形例を表すフローチャートである。
図５が示すモード遷移処理は、ステップＳ１２１−Ｓ１２８を備える点で、図４が示すモード遷移処理と共通するが、ステップＳ１０１−Ｓ１０８の代わりにステップＳ１１１−Ｓ１１５を備える点が異なる。以下、主にステップＳ１１１−Ｓ１１５について説明する。
【００６４】
（ステップＳ１１１）モード決定部１１１は、入力部１２から開始信号が入力されたか否か判断する。開始信号が入力された場合（ステップＳ１１１  Ｙ）、ステップＳ１１２に進む。開始信号が入力されなかった場合（ステップＳ１１１  Ｎ）、ステップＳ１１１を繰り返す。
（ステップＳ１１２）計時部１１２は、発振部１３から入力された計時基準信号に基づいて経過時間の計測を開始する。計時部１１２は、計測した経過時間を表す経過時間信号を逐次に生成し、生成した経過時間信号を表示駆動部１１５に出力する。その後、ステップＳ１１３に進む。
【００６５】
（ステップＳ１１３）モード決定部１１１は、入力部１２から照明信号が入力されたか（ライトボタン押下）否か判断する。照明信号が入力された場合（ステップＳ１１３  Ｙ）、ステップＳ１１４に進む。照明信号が入力されなかった場合（ステップＳ１１３  Ｎ）、ステップＳ１２２に進む。
【００６６】
（ステップＳ１１４）輝度制御部１１６は、入力部１２から照明信号が入力されたことに応じて可動切片１１６２を端子１１６１−１及び１１６１−２に短絡させる。これにより、照明部１６を輝度Ｈで点灯させる。その後、ステップＳ１１５に進む。
（ステップＳ１１５）モード決定部１１１は、入力部１２から照明信号が入力された時点から予め定められた時間（例えば、１０秒）が経過したか否か判断する。経過したと判断された場合（ステップＳ１１５  Ｙ）、ステップＳ１２１に進む。経過したと判断されなかった場合（ステップＳ１１５  Ｎ）、ステップＳ１１５を繰り返す。これにより、処理を待機する。
【００６７】
次に本実施形態に係るモード遷移処理のその他の変形例について説明する。
図６は、本実施形態に係るモード遷移処理のその他の変形例を表すフローチャートである。
図６に示すモード遷移処理は、ステップＳ１１１、Ｓ１１２、Ｓ１２１−Ｓ１２８を備える点で、図５が示すモード遷移処理と共通するが、ステップＳ１１３−Ｓ１１５の代わりにステップＳ１１６を備える点が異なる。この例では、ステップＳ１１２の次にステップＳ１１６に進む。
（ステップＳ１１６）モード決定部１１１は、入力部１２から開始信号が予め定めた時間（例えば、２秒）以上継続して入力されたか（スタートボタンの長押し）否か判断する。予め定めた時間以上継続して入力されたと判断された場合（ステップＳ１１６  Ｙ）、ステップＳ１２１に進む。予め定めた時間以上継続して入力されなかったと判断された場合（ステップＳ１１６  Ｎ）、ステップＳ１２２に進む。
【００６８】
次に本実施形態に係る夜間走行モードにおける処理について説明する。
図７は、本実施形態に係る夜間走行モードにおける処理を表すフローチャートである。
（ステップＳ２０１）輝度制御部１１６は、照明部１６が備える発光部１６１の輝度を通常輝度値Ｈとして点灯させる。また、表示駆動部１１５は、表示部１５のコントラストを通常コントラスト値に定める。その後、ステップＳ２０２に進む。
（ステップＳ２０２）表示駆動部１１５、輝度制御部１１６は、計時部１１２から入力された時刻信号に基づいて、上述の第２の時間が経過したか否か判断する。第２の時間が経過していないと判断された場合（ステップＳ２０２  Ｎ）、ステップＳ２０２を繰り返す。第２の時間が経過したと判断された場合（ステップＳ２０２  Ｙ）、ステップＳ２０３に進む。
【００６９】
（ステップＳ２０３）輝度制御部１１６は、発光部１６１の輝度をＬに低下させる。その後、ステップＳ２０４に進む。
（ステップＳ２０４）表示駆動部１１５は、表示部１５のコントラストを高コントラスト値に切り替える。その後、ステップＳ２０５に進む。
【００７０】
（ステップＳ２０５）計時部１１２、表示駆動部１１５、輝度制御部１１６は、入力部１２から上述のその他の種類の操作入力信号が入力されたか否か判断する。その他の種類の操作入力信号が入力されなかったと判断された場合（ステップＳ２０５  Ｎ）、ステップＳ２０５を繰り返す。その他の種類の操作入力信号が入力されたと判断された場合（ステップＳ２０５  Ｙ）、ステップＳ２０６に進む。
（ステップＳ２０６）計時部１１２、表示駆動部１１５、輝度制御部１１６は、入力部１２から入力された操作入力信号が停止信号（ストップボタン押下）か否か判断する。停止信号である場合（ステップＳ２０６  Ｙ）、ステップＳ２０７に進む。停止信号でない場合（ステップＳ２０６  Ｎ）、ステップＳ２１１に進む。
【００７１】
（ステップＳ２０７）計時部１１２は、経過時間の計測を終了する。その後、ステップＳ２０８に進む。
（ステップＳ２０８）表示駆動部１１５、輝度制御部１１６は、計時部１１２から入力された時刻信号に基づいて、上述の第１の時間が経過したか否か判断する。第１の時間が経過していないと判断された場合（ステップＳ２０８  Ｎ）、ステップＳ２０８を繰り返す。第１の時間が経過したと判断された場合（ステップＳ２０８  Ｙ）、ステップＳ２０９に進む。
【００７２】
（ステップＳ２０９）輝度制御部１１６は、照明部１６を消灯させる。その後、ステップＳ２１０に進む。
（ステップＳ２１０）表示駆動部１１５は、表示部１５のコントラストを通常コントラスト値に切り替える。その後、モード遷移処理に戻る。
【００７３】
（ステップＳ２１１）輝度制御部１１６は、発光部１６１の輝度を通常輝度値Ｈに変更して点灯させる。その後、ステップＳ２１２に進む。
（ステップＳ２１２）表示駆動部１１５は、表示部１５のコントラストを通常コントラスト値に低下させる。その後、ステップＳ２１３に進む。
（ステップＳ２１３）計時部１１２は、入力部１２から入力された操作入力信号に応じた機能に係る処理を実行する。例えば、ラップ信号が入力されたとき、計時部１１２は、生成した経過時間信号をデータ記憶部１７に記憶させ、表示駆動部１１５に出力する経過時間信号を第１の時間だけ一定値に維持する。その後、ステップＳ２１４に進む。
（ステップＳ２１４）表示駆動部１１５、輝度制御部１１６は、計時部１１２から入力された時刻信号に基づいて、上述の第１の時間が経過したか否か判断する。第１の時間が経過していないと判断された場合（ステップＳ２１４  Ｎ）、ステップＳ２１４を繰り返す。第１の時間が経過したと判断された場合（ステップＳ２１４  Ｙ）、ステップＳ２１５に進む。
【００７４】
（ステップＳ２１５）輝度制御部１１６は、発光部１６１の輝度をＬに低下させる。その後、ステップＳ２１６に進む。
（ステップＳ２１６）表示駆動部１１５は、表示部１５のコントラストを高コントラスト値に切り替える。その後、ステップＳ２０６に進む。
【００７５】
次に本実施形態に係る経過時間計測モードにおける処理について説明する。
図８は、本実施形態に係る経過時間計測モードにおける処理を表すフローチャートである。
（ステップＳ３０１）輝度制御部１１６は、照明部１６が備える発光部１６１の輝度を通常輝度値Ｈとして点灯させる。また、表示駆動部１１５は、表示部１５のコントラストを通常コントラスト値に定める。その後、ステップＳ３０２に進む。
（ステップＳ３０２）輝度制御部１１６は、計時部１１２から入力された時刻信号に基づいて、照明部１６を点灯させてから予め定められた第１の時間（例えば、３秒間）が経過したか否か判断する。第１の時間が経過していないと判断された場合（ステップＳ３０２  Ｎ）、ステップＳ３０２を繰り返す。第１の時間が経過したと判断された場合（ステップＳ３０２  Ｙ）、ステップＳ３０３に進む。
【００７６】
（ステップＳ３０３）輝度制御部１１６は、照明部１６を消灯させる。その後、ステップＳ３０４に進む。
（ステップＳ３０４）計時部１１２、表示駆動部１１５、輝度制御部１１６は、入力部１２から上述のその他の種類の操作入力信号が入力されたか否か判断する。その他の種類の操作入力信号が入力されなかったと判断された場合（ステップＳ３０４  Ｎ）、ステップＳ３０４を繰り返す。その他の種類の操作入力信号が入力されたと判断された場合（ステップＳ３０４  Ｙ）、ステップＳ３０５に進む。
（ステップＳ３０５）計時部１１２、輝度制御部１１６は、入力部１２から入力された操作入力信号が停止信号（ストップボタンを押下）か否か判断する。停止信号である場合（ステップＳ３０５  Ｙ）、ステップＳ３０６に進む。停止信号でない場合（ステップＳ３０５  Ｎ）、ステップＳ３１１に進む。
【００７７】
（ステップＳ３０６）計時部１１２は、経過時間の計測を終了する。その後、ステップＳ３０７に進む。
（ステップＳ３０７）輝度制御部１１６は、照明部１６を点灯させる。その後、ステップＳ３０８に進む。
（ステップＳ３０８）輝度制御部１１６は、計時部１１２から入力された時刻信号に基づいて、予め定められた第１の時間（例えば、３秒間）が経過したか否か判断する。第１の時間が経過していないと判断された場合（ステップＳ３０８  Ｎ）、ステップＳ３０８を繰り返す。第１の時間が経過したと判断された場合（ステップＳ３０８  Ｙ）、ステップＳ３０９に進む
（ステップＳ３０９）輝度制御部１１６は、照明部１６を消灯させる。その後、処理を終了する。
【００７８】
（ステップＳ３１１）輝度制御部１１６は、照明部１６を通常輝度値で点灯させる。その後、ステップＳ３１２に進む。
（ステップＳ３１２）計時部１１２は、入力部１２から入力された操作入力信号に応じた機能に係る処理を実行する。例えば、ラップ信号が入力されたとき、計時部１１２は、生成した経過時間信号をデータ記憶部１７に記憶させ、表示駆動部１１５に出力する経過時間信号を予め定めた時間（例えば、３秒間）だけ一定値に維持する。その後、ステップＳ３０２に進む。
【００７９】
このように、本実施形態によれば、計測開始を表す操作入力を受け付けてからの経過時間を計測し、供給された電力に応じた光を計測した経過時間を表示する表示部１５に供給する照明部１６を備える。本実施形態では、操作入力又は計測した経過時間に基づいて夜間走行モードで動作させるか否か決定し、夜間走行モード以外の動作モードで動作させるとき、操作入力を受け付けてから予め定めた第１の時間が経過したとき、照明部１６への電力の供給を停止させ、夜間走行モードで動作させるとき、操作入力を受け付けてから第１の時間よりも長い第２の時間が経過したとき、照明部１６へ供給する電力を低下させる。これにより、使用者は特段の操作入力を行わずに、暗所において運動を行うときでも必要以上に姿勢を変えることなく経過時間等の表示を視認することができる。そのため、電力消費を抑制しつつ運動中における安全を確保することができる。
【００８０】
（第２の実施形態）
次に、本発明の第２の実施形態について説明する。第１の実施形態と同一の構成又は処理については、同一の符号を付する。
図９は、本実施形態に係る電子機器２の要部の構成を表す概略図である。
電子機器２は、ＣＰＵ２１、表示ユニット１４を含んで構成される。即ち、電子機器２は、ＣＰＵ１１の代わりにＣＰＵ２１を備える点が電子機器１と異なる。
ＣＰＵ２１は、モード決定部２１１、計時部２１２、表示制御部１１３を含んで構成される。モード決定部２１１及び計時部２１２は、経過時間計測モードから夜間走行モードに移行するための構成が異なる他は、モード決定部１１１及び計時部１１２（図２参照）とそれぞれ同様な構成を備える。ここで、夜間走行モードに移行する構成［４］について主に説明する。
【００８１】
計時部２１２は、現時刻を表す時刻情報を生成する。計時部２１２は、生成した時刻情報に基づいて日付を表す日付情報を生成し、生成した時刻情報と日付情報をモード決定部２１１に出力する。
モード決定部２１１は、予め日付情報毎に夜間の時間帯を表す時間帯情報が記憶されている記憶部を備える。モード決定部２１１は、計時部２１２が経過時間を計測している間に、計時部２１２から日付情報が入力されたとき、入力された日付情報に対応する時間帯情報を読み出す。モード決定部２１１は、入力された時刻情報が表す時刻が読み出した時間帯情報が表す時間帯に含まれる場合、動作モードを経過時間計測モードから夜間走行モードに切り替える。モード決定部２１１の記憶部が記憶する時間帯情報は、夏季（例えば、５月から８月）には夜間時間が短く、冬季（例えば、１１月から２月）には夜間時間が長い。また、当該時間帯情報において緯度が高い地点ほど、時季間の夜間時間の差が大きくするようにしてもよい。モード決定部２１１は、このようにして、時季や緯度に応じて夜間走行モードへ移行する時間帯を定めることができる。
【００８２】
次に本実施形態に係るモード遷移処理について説明する。
図１０は、本実施形態に係るモード遷移処理の一例を表すフローチャートである。
図１０が示すモード遷移処理は、図５が示すモード遷移処理とは、ステップＳ１１３−Ｓ１１５の代わりにステップＳ１１７を備える点が異なる。この例では、ステップＳ１１２の後で、ステップＳ１１７に進む。
（ステップＳ１１７）モード決定部２１１は、計時部２１２から入力された日付情報に対応する時間帯情報を読み出す。モード決定部２１１は、計時部２１２から入力された時刻情報が表す時刻が読み出した時間帯情報が表す時間帯に含まれるか否か判断する。当該時刻が当該時間帯に含まれると判断された場合（ステップＳ１１７  Ｙ）、ステップＳ１２１に進む。当該時刻が当該時間帯に含まれないと判断された場合（ステップＳ１１７  Ｎ）、ステップＳ１２２に進む。
【００８３】
このように、本実施形態によれば、日時と時刻を計測し、計測した時刻が、計測した日時に対応する時間帯に含まれるとき、夜間走行モードで動作させることを決定する。これにより、使用者は特段の操作入力を行うことなく時季や緯度等によって異なる夜間時間帯に照明部１６が点灯する。そのため、利用者は夜間、経過時間を計測する際、経過時間等の表示を視認することができる。
【００８４】
（第３の実施形態）
次に、本発明の第３の実施形態について説明する。第１の実施形態と同一の構成又は処理については、同一の符号を付する。
図１１は、本実施形態に係る電子機器３の要部の構成を表す概略図である。
電子機器３は、ＣＰＵ３１、電源部３９、表示ユニット１４を含んで構成される。即ち、電子機器３は、ＣＰＵ１１、電源部１９の代わりにそれぞれＣＰＵ３１、電源部３９を備える点が電子機器１と異なる。ここで、夜間走行モードに移行する構成［５］について主に説明する。
【００８５】
電源部３９は、一次電池３９１、二次電池３９２、照度検知部３９３を含んで構成される。一次電池３９１は、照射された光を変換して電力を生成し、生成した電力を、照度検知部３９３を介して二次電池３９２に出力する。一次電池３９１は、例えば太陽電池である。二次電池３９２は、一次電池３９１から照度検知部３９３を介して入力された電力を蓄積し、蓄積した電力を電子機器３の各構成部に供給する。二次電池３９２は、例えば充電、放電ともに可能な蓄電池である。
【００８６】
照度検知部３９３は、一次電池３９１が生成した電力が、二次電池３９２が供給する電力よりも大きいか否かを検知する。照度検知部３９３は、例えば、ダイオードを備える。これにより、電力が二次電池３９２から一次電池３９１に逆流することを防止し、二次電池３９２側に電力が出力される否かによって、一次電池３９１が生成した電力と二次電池３９２が供給する電力の大小を比較することができる。そのために、ダイオードのアノード入力端は、一次電池３９１の正極側に接続され、カソード出力端は、二次電池３９２の負極側に接続される。照度検知部３９３は、出力端から出力される電力が予め定めた閾値よりも小さい場合に、所定値よりも照度が低いことを表す照度信号を生成する。この場合、一次電池３９１が生成する電力が、二次電池３９２が供給する電力よりも少ないか等しいためである。照度検知部３９３は、生成した照度信号をモード決定部３１１に出力する。
【００８７】
ＣＰＵ３１は、モード決定部３１１、計時部１１２、表示制御部１１３を含んで構成される。モード決定部３１１は、経過時間計測モードから夜間走行モードに移行するための構成が異なる他は、モード決定部１１１（図２参照）とそれぞれ同様な構成を備える。
モード決定部３１１は、計時部１１２が経過時間を計測している間に照度検知部３９３から照度信号が入力された場合、夜間走行モードに切り替える。
【００８８】
次に本実施形態に係るモード遷移処理について説明する。
図１２は、本実施形態に係るモード遷移処理の一例を表すフローチャートである。
図１２が示すモード遷移処理は、図５が示すモード遷移処理とは、ステップＳ１１３−Ｓ１１５の代わりにステップＳ１１８を備える点が異なる。この例では、ステップＳ１１２の後で、ステップＳ１１８に進む。
（ステップＳ１１８）モード決定部３１１は、所定値よりも照度が低いことを表す照度信号が入力されたか否か判断する。照度信号が入力された場合（ステップＳ１１８  Ｙ）、ステップＳ１２１に進む。照度信号が入力されなかった場合（ステップＳ１１８  Ｎ）、ステップＳ１２２に進む。
【００８９】
このように、本実施形態によれば、照度を検出し、検出した照度に基づいて、夜間走行モードで動作させるか否かを決定する。これにより、夜間走行モードでは使用者は特段の操作入力を行うことなく暗所において照明部１６が点灯する。そのため、利用者は夜間、経過時間を計測する際、経過時間等の表示を視認することができる。
【００９０】
上述の照度検知部３９３は、一次電池３９１が生成する電力が、二次電池３９２が供給する電力よりも小さいことをもって、所定値より照度が小さいと判断していたが、当該実施形態ではこれには限られない。照度検知部３９３は、一次電池３９１が生成する電力が、二次電池３９２が供給する電力の予め定めた定数倍（例えば、１未満の実数）よりも小さいことをもって、所定値より照度が小さいと判断してもよい。照度検知部３９３は、一次電池３９１が生成する電力に係る電圧値が、予め定めた電圧値よりも小さいことをもって、所定値よりも照度が小さいと判断してもよい。
【００９１】
上述では、電子機器１−３が、経過時間計測モードから夜間走行モードに移行するための構成［１］−［５］の何れかを備える例について説明したが、上述の実施形態では、電子機器１−３は［１］−［５］のうちの任意の組み合わせを備えていてもよい。
【００９２】
上述では、表示駆動部１１５、輝度制御部１１６は、計時部１１２から入力された時刻信号、又は発振部１３から入力された計時基準信号に基づいて、第１の時間又は第２の時間が経過したか否かを判断する場合を例にとって説明したが、上述した実施形態ではこれには限られない。上述した実施形態では、計時部１１２が第１の時間又は第２の時間が経過したか否かを判断し、判断したことを表す時間経過信号を表示駆動部１１５、輝度制御部１１６に出力してもよい。表示駆動部１１５、輝度制御部１１６は、計時部１１２から入力された時間経過信号に基づいて、上述の第１の時間又は第２の時間が経過した後の処理を実行するようにする。
【００９３】
上述では、表示駆動部１１５、輝度制御部１１６は、計時部１１２から入力された時刻信号、又は発振部１３から入力された計時基準信号に基づいて、第１の時間、第２の時間、その他予め定めた時間が経過したか否かを判断する場合を例にとって説明した。しかしながら、上述した実施形態ではこれには限られない。上述した実施形態では、加速度を検知し、検知した加速度に基づいて歩数を計測し、計測した歩数が予め定めた第１の歩数、第２の歩数、その他予め定めた歩数を越えたかどうかを判断してもよい。
【００９４】
上述では、照明部１６の抵抗値に基づいて消費電力を変更することで輝度を制御していたが、本実施形態ではこれには限られない。本実施形態では、照明部１６に供給する電力を予め定めた時間間隔（例えば、１００ｍｓ以下）で断続させ、電力を供給する時間と電力供給を停止する時間の割合を変更して輝度を制御するようにしてもよい。
【００９５】
なお、上述した実施形態における電子機器１、２、３の一部、例えば、モード決定部１１１、２１１、３１１、計時部１１２、２１２、表示駆動部１１５、及び輝度制御部１１６をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、電子機器１、２、３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
また、上述した実施形態における電子機器１、２、３の一部、または全部を、ＬＳＩ（Ｌａｒｇｅ  Ｓｃａｌｅ  Ｉｎｔｅｇｒａｔｉｏｎ）等の集積回路として実現しても良い。電子機器１、２、３の各機能ブロックは個別にプロセッサ化してもよいし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【００９６】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００９７】
１、２、３…電子機器、１１、２１、３１…ＣＰＵ、
１１１、２１１、３１１…モード決定部、１１２、２１２…計時部、１１３…表示制御部、１１５…表示駆動部、１１６…輝度制御部、１１６１−１〜１１６１−３…端子、
１１６２−可動切片、
１２…入力部、１３…発振部、１４…表示ユニット、１５…表示部、１５５…表示窓、
１６…照明部、１６１…発光部、１６２−１、１６２−２…抵抗部、１７…データ記憶部、
１８…報音部、１９、３９…電源部、３９１…一次電池、３９２…二次電池、
３９３…照度検知部
【図１】
2013205206.tif 000004
【図２】
2013205206.tif 000005
【図３】
2013205206.tif 000006
【図４】
2013205206.tif 000007
【図５】
2013205206.tif 000008
【図６】
2013205206.tif 000009
【図７】
2013205206.tif 000010
【図８】
2013205206.tif 000011
【図９】
2013205206.tif 000012
【図１０】
2013205206.tif 000013
【図１１】
2013205206.tif 000014
【図１２】
2013205206.tif 000015